(57)【特許請求の範囲】
【請求項１】
液晶表示素子と、
第１の面と、前記第１の面の裏側の第２の面を備え、前記第１の面を介して前記液晶表示素子と電気的に接続され、かつ前記第１の面に設けられた接点部を備えた可撓性基板と、
前記第１の面にマウントされた前記液晶表示素子を駆動する関連部品と、
前記液晶表示素子及び前記可撓性基板を取り付けた保持部材と、
前記接点部と電気的に接続されたコネクタを設けたプリント基板と、を備える液晶表示装置であって、
前記可撓性基板は、二つに折り曲げ得る折り曲げ部と、前記折り曲げ部を中心として線対称に設けられた位置決め用孔とを設け、
前記接点部は、前記可撓性基板の先端側の前記位置決め用孔付近に配置され、
前記関連部品は、前記可撓性基板の前記折り曲げ部より後端側の前記位置決め用孔付近に配置され、
前記可撓性基板は、前記折り曲げ部を折り曲げた後に前記保持部材に位置決めして取付けられた液晶表示装置。
【請求項２】
請求項１に記載の液晶表示装置であって、
前記第２の面に接着された補強板を備え、
前記補強板は、前記接続部の裏側に前記位置決め用孔を含むように配置された液晶表示装置。
【請求項３】
請求項１又は請求項２に記載の液晶表示装置であって、
前記折り曲げ部は、前記可撓性基板の両側に設けられた略半矩形の切り込みと、前記可撓性基板の中心部に設けられた略長矩形の切り込みと、を備える液晶表示装置。
【請求項４】
請求項１から請求項３のいずれか１項に記載の液晶表示装置であって、
前記接点部は、前記可撓性基板の先端側の前記位置決め用孔の外側に設けられ、
前記関連部品は、前記折り曲げ部より後端側の前記位置決め用孔の内側に設けられた液晶表示装置。
【請求項５】
請求項１から請求項４のいずれか１項に記載の液晶表示装置であって、
前記関連部品は、前記可撓性基板の中心より左右に重量が均衡するようにマウントした液晶表示装置。
【発明の詳細な説明】
【０００１】
【発明の属する技術分野】
本発明は、液晶表示装置に関し、特に片面にパターンが形成された可撓性基板を略中央付近で二つに折り曲げて第１のパターン面とその裏側に第２のパターン面とを構成できるようにしたものである。
【０００２】
【従来の技術】
携帯電話機やＰＨＳ（Personal Handyphone System）などの携帯端末機器は、年々、小型化・軽量化が進み、また最近では薄型化や液晶表示部の大画面化などが商品力を決める大きなポイントとなってきている。
【０００３】
軽量化、薄型化の設計の一つとして従来ガラス製であった液晶表示装置をプラスティック製にするという手法が採られてきている。
【０００４】
しかしながら、プラスティック製液晶表示装置は、接続部に熱圧着方式が使えないため、従来のガラス製液晶表示装置で採用されていたＴＡＢ（Tape Attach Bonding）方式のフレキシブルプリント基板（可撓性基板）が使えない。
【０００５】
また、表示文字が多くなってくるとメインプリント基板との接続数も増えてくる。そこで、コンデンサなどのチップを実装したＣＯＦ（Chip On Film）方式のフレキシブルプリント基板により熱圧着方式の接続が可能となり、またメインプリント基板との接続極数も減らすことができる。
【０００６】
図４は、従来の液晶表示装置であって、液晶表示装置が組立てられてユニットを構成したものを側面から見た断面図である。
【０００７】
図４において、可撓性基板（例えばＣＯＦからなる可撓性基板）31を有する液晶表示装置は、保持部材32に巻き込まれるようにして組立てられユニットが構成されている。ユニットでは、可撓性基板31に設けられた接点部33はプリント基板34に設けられたコネクタ35に接触される。
【０００８】
図５は、従来の液晶表示装置の平面斜視図であり、ＬＣＤ表示部そのものは図示の下側に配置されている。図５において液晶表示装置は、液晶表示素子（ＬＣＤ）36と、ＣＯＦなどの可撓性基板31とからなり、ＣＯＦなどの可撓性基板31には位置決め用孔39が設けられ、プリント基板のコネクタ35と接触する接点部33と、液晶表示に関係する関連部品40がマウントされるようになっている。
【０００９】
図６は、従来の他の構成の液晶表示装置であって、液晶表示装置が組立てられてユニットを構成したものを側面から見た断面図である。
【００１０】
図６において、ＴＡＢ41を有する液晶表示装置は、保持部材に巻き込まれるようにして組立てられユニットが構成されている。ユニットでは、ＴＡＢ41に設けられた関連部品が、ＴＡＢ上でボンディングされて取付けられるようになっている。
【００１１】
図７は、図４に示した従来の液晶表示装置であって、液晶表示装置が組立てられてユニットを構成したものを正面から見た断面図である。
【００１２】
図７において、保持部材32に設けられたボス42は図５に示したＣＯＦなどの可撓性基板31の位置決め用孔39に挿通されるとともにプリント基板34の位置決め用孔を貫通するようにされて、保持部材32に設けた引掛爪43によりプリント基板34に固着される。
【００１３】
しかし、図５に示されるように、メインプリント基板との接続を接点方式にした場合に機器本体の設計上、フレキシブルプリント基板のチップの実装面とメインプリント基板の接点部とは表裏が逆になってしまうという問題があった。
【００１４】
また、ＣＯＦ方式のフレキシブルプリント基板は片面パターンとなってしまうため、フレキシブルプリント基板のチップの実装面とメインプリント基板の接点部とは表裏が逆になってしまうという問題があった。
【００１５】
【発明が解決しようとする課題】
本発明は、上記従来の問題を解決するもので、片面パターンのフレキシブルプリント基板（可撓性基板）を使用しても構成可能で、また機器の組立て性を向上させるように構成した液晶表示装置を提供することを目的とするものである。
【００２２】
【課題を解決するための手段】
本発明の液晶表示装置は、液晶表示素子と、第１の面と、前記第１の面の裏側の第２の面を備え、前記第１の面を介して前記液晶表示素子と電気的に接続され、かつ前記第１の面に設けられた接点部を備えた可撓性基板と、前記第１の面にマウントされた前記液晶表示素子を駆動する関連部品と、前記液晶表示素子及び前記可撓性基板を取り付けた保持部材と、前記接点部と電気的に接続されたコネクタを設けたプリント基板と、を備える液晶表示装置であって、前記可撓性基板は、二つに折り曲げ得る折り曲げ部と、前記折り曲げ部を中心として線対称に設けられた位置決め用孔とを設け、前記接点部は、前記可撓性基板の先端側の前記位置決め用孔付近に配置され、前記関連部品は、前記可撓性基板の前記折り曲げ部より後端側の前記位置決め用孔付近に配置され、前記可撓性基板は、前記折り曲げ部を折り曲げた後に前記保持部材に位置決めして取付けられたものである
【００２３】
この構成により、片面パターンの可撓性基板を使用しても構成可能で、また機器の組立て性も向上させることができる。
【００２４】
また、本発明の液晶表示装置は、前記第２の面に接着された補強板を備え、前記補強板は、前記接続部の裏側に前記位置決め用孔を含むように配置されたものである。
【００２５】
この構成により、可撓性基板に設けた接点部をプリント基板にマウントされたコネクタに安定的に接触させることができる。
【００２６】
また、本発明の液晶表示装置は、前記折り曲げ部は、前記可撓性基板の両側に設けられた略半矩形の切り込みと、前記可撓性基板の中心部に設けられた略長矩形の切り込みと、を備えるものである。
【００２７】
この構成により、折り曲げ部を楽に折り曲げることができる。
【００２８】
また、本発明の液晶表示装置は、前記接点部は、前記可撓性基板の先端側の前記位置決め用孔の外側に設けられ、前記関連部品は、前記折り曲げ部より後端側の前記位置決め用孔の内側に設けられたものである。
【００２９】
この構成により、折り曲げても互いの信号源から発するノイズが重畳しないようにすることができる。
【００３０】
また、本発明の液晶表示装置は、前記関連部品は、前記可撓性基板の中心より左右に重量が均衡するようにマウントしたものである。
【００３１】
この構成により、可撓性基板への部品搭載をバランスよく配置して可撓性基板への負荷を平準化することができる。
【００３２】
【発明の実施の形態】
以下、本発明の実施の形態について、図１から図３を用いて説明する。
【００３３】
図１は、本発明の実施の形態に係る液晶表示装置であって、液晶表示装置が組立てられてユニットを構成したものを側面から見た断面図である。
【００３４】
図１において、先端が折り曲げ部から折り曲げられた可撓性基板（例えばＣＯＦからなる可撓性基板）11を有する液晶表示装置は、保持部材12に巻き込まれるようにして組立てられユニットが構成されている。ユニットでは、可撓性基板11に設けられた接点部13はプリント基板14に設けられたコネクタ15に接触されるようにする。
【００３５】
図２は、本発明の実施の形態に係る液晶表示装置の平面斜視図であり、ＬＣＤ表示部そのものは図示の下側に配置されている。図２において液晶表示装置は、液晶表示素子（ＬＣＤ）16と、ＣＯＦなどの可撓性基板11とからなり、ＣＯＦなどの可撓性基板11には折り曲げ部18および位置決め用孔19が設けられ、その折り曲げ部18の前後にプリント基板のコネクタと接触する接点部13と、液晶表示に関係するチップ等の関連部品21がマウント（半田付け）されるようにする。
【００３６】
また、プリント基板に電気的に接続される接点部13は、可撓性基板11の先端側の位置決め用孔19の外側に、また液晶表示素子を駆動するチップ等の関連部品21は、折り曲げ部18より後端側の位置決め用孔の内側に設けるようにする。これにより、折り曲げても互いの信号源から発するノイズが重畳しないようにすることができる。
【００３７】
また、折り曲げ部18より後端側の位置決め用孔の内側に設けた液晶表示素子を駆動するチップ等の関連部品21は、可撓性基板11の中心より左右に重量が均衡するようにマウントしている。これにより、可撓性基板11への部品搭載をバランスよく配置して可撓性基板への負荷を平準化することができる。
【００３８】
さらに折り曲げ部18は、ＣＯＦなどの可撓性基板11の両側に略半矩形の切り込みが、またその中心部にも略長矩形の切り込みが、それぞれ設けられるようにして構成されている。また接点部13には、位置決め用孔を含むようにして補強板20が接着されている。なお、折り曲げ部18を線対称にして前後に設けられている位置決め用孔19は、折り曲げ部18で折り曲げることにより、保持部材のボス22（図３参照）に挿通できるようになり、そうすることで接点部13がプリント基板に設けられたコネクタ14に接触する位置に位置決めされる。
【００３９】
図３は、本発明の実施の形態に係る液晶表示装置であって、液晶表示装置が組立てられてユニットを構成したものを正面から見た断面図である。
【００４０】
図３において、保持部材12に設けられたボス22は図２に示したＣＯＦなどの可撓性基板11の位置決め用孔19に挿通されるとともにプリント基板14の位置決め用孔を貫通するようにされて、保持部材12に設けた引掛爪23によりプリント基板14に固着される。
【００４１】
その結果、ＣＯＦなどの可撓性基板11に設けられた接点部13は、プリント基板14に設けられたコネクタ15に良好な圧力で接触することが可能となる。
【００４２】
【発明の効果】
本発明により、一方の表面に電子部品と接点部を設けた可撓性基板を接続した液晶パネルをプリント基板に装着することができるとともに、機器の組み立て性を向上させることができる。
【図面の簡単な説明】
【図１】本発明の実施の形態に係る液晶表示装置の構成であって、液晶表示装置が組立てられてユニットを構成したものを側面から見た断面図、
【図２】本発明の実施の形態に係る液晶表示装置の平面斜視図、
【図３】本発明の実施の形態に係る液晶表示装置の構成であって、液晶表示装置が組立てられてユニットを構成したものを正面から見た断面図、
【図４】従来の液晶表示装置の構成であって、液晶表示装置が組立てられてユニットを構成したものを側面から見た断面図、
【図５】従来の液晶表示装置の平面斜視図、
【図６】従来の別の液晶表示装置の構成であって、液晶表示装置が組立てられてユニットを構成したものを側面から見た断面図、
【図７】本発明の実施の形態に係る液晶表示装置の構成であって、液晶表示装置が組立てられてユニットを構成したものを正面から見た断面図である。
【符号の説明】
11、31  可撓性基板（ＣＯＦ）
12、32  保持部材
13、33  接点部
14、34  プリント基板
15、35  コネクタ
16、36  液晶表示素子(ＬＣＤ)
17、37  導光板
18  折り曲げ部
19、39  位置決め用孔
20  補強板
21、40  関連部品
22、42  ボス
23、43  引掛爪
41  ＴＡＢ
【図１】
0004476395.tif 000002
【図２】
0004476395.tif 000003
【図３】
0004476395.tif 000004
【図４】
0004476395.tif 000005
【図５】
0004476395.tif 000006
【図６】
0004476395.tif 000007
【図７】
0004476395.tif 000008